(57)【要約】時刻を計時する計時手段（２７）と、該計時手段（２７）からの計時情報に基づいて時刻を表示する表示部（３）を備え、更に、少なくとも二つ以上の国または地域の送信局からの標準電波を受信する受信部（２０）と、該受信部（２０）によって得られた復調信号（Ｐ２）から秒同期情報（Ｐ３）を検出する秒同期検出手段（２３）と、前記復調信号（Ｐ２）を前記秒同期情報（Ｐ３）に基づいて解析し、国または地域の送信局を決定する送信局決定手段（２５）と、該送信局決定手段（２５）によって決定された送信局からの前記標準電波に含まれる情報を解読して時刻情報を取得する解読手段（２６）とを有し、該解読手段（２６）により取得された前記時刻情報によって前記計時手段（２７）の計時情報を修正する構成とした。【特許請求の範囲】
【請求項１】
時刻を計時する計時手段と、
該計時手段からの計時情報に基づいて時刻を表示する表示手段と、を備え、
更に、少なくとも二つ以上の国または地域の送信局からの標準電波を受信する受信手段と、
該受信手段によって得られた復調信号から秒同期情報を検出する秒同期検出手段と、
前記復調信号を前記秒同期情報に基づいて解析し、国または地域の送信局を決定する送信局決定手段と、
該送信局決定手段によって決定された送信局からの標準電波に含まれる情報を解読して時刻情報を取得する解読手段とを有し、
該解読手段によって取得された前記時刻情報に基づいて前記計時手段の計時情報を修正することを特徴とする電波修正時計。
【請求項２】
前記受信手段は受信切替手段を含み、前記秒同期検出手段によって秒同期情報が検出できない場合、または、前記送信局決定手段によって送信局が決定できない場合、または、前記解読手段によって時刻情報が解読できない場合は、前記受信切替手段によって、他の送信局からの標準電波を受信することを特徴とする請求項１に記載の電波修正時計。
【請求項３】
時刻を計時する計時手段と、
該計時手段からの計時情報に基づいて時刻を表示する表示手段と、を備え、
更に、同一周波数からなる少なくとも二つ以上の国または地域の送信局からの標準電波を受信する受信手段と、
該受信手段によって得られた復調信号から秒同期情報を検出する秒同期検出手段と、
前記復調信号を前記秒同期情報に基づいて解析し、国または地域の送信局を決定する送信局決定手段と、
該送信局決定手段によって決定された送信局からの標準電波に含まれる情報を解読して時刻情報を取得する解読手段とを有し、
該解読手段によって取得された前記時刻情報に基づいて前記計時手段の計時情報を修正することを特徴とする電波修正時計。
【請求項４】
前記秒同期検出手段は、
前記復調信号の立ち上がりエッジと立ち下がりエッジを順次検出するエッジ検出手段と、
検出された前記立ち上がりエッジまたは前記立ち下がりエッジから、前記復調信号の秒同期情報を得る同期判定手段と、
を含むことを特徴とする請求項１または３に記載の電波修正時計。
【請求項５】
前記秒同期検出手段は、
前記復調信号の立ち上がりエッジと立ち下がりエッジを同時に検出するエッジ検出手段と、
検出された前記立ち上がりエッジまたは前記立ち下がりエッジから、前記復調信号の秒同期情報を得る同期判定手段と、
を含むことを特徴とする請求項１または３に記載の電波修正時計。
【請求項６】
前記秒同期検出手段は、
前記復調信号の立ち上がりエッジと立ち下がりエッジを一定間隔毎に検出するサンプリング手段と、
該サンプリング手段によって検出された前記立ち上がりエッジと前記立ち下がりエッジの検出回数をサンプリング位置毎に加算する加算手段と、
該加算手段によってサンプリング位置毎に加算された立ち上がりエッジと立ち下がりエッジの前記検出回数を記憶する記憶手段と、
該記憶手段に記憶されたサンプリング位置毎の立ち上がりエッジと立ち下がりエッジの前記検出回数によって前記復調信号の秒同期情報を得る波形判定手段と、
を含むことを特徴とする請求項１または３に記載の電波修正時計。
【請求項７】
前記秒同期検出手段は、
前記復調信号の論理“１”あるいは論理“０”を一定間隔毎に検出するサンプリング手段と、
該サンプリング手段によって検出された論理“１”あるいは論理“０”のいずれか一方の検出回数を加算する加算手段と、を含み、
前記送信局決定手段は、前記秒同期検出手段の加算手段の結果に基づいて、前記国または地域の送信局を決定することを特徴とする請求項１または３に記載の電波修正時計。
【請求項８】
前記送信局決定手段は、前記復調信号を前記秒同期情報に基づいて解析し、一定周期毎に到来するポジションマーカの波形から前記国または地域の送信局を決定することを特徴とする請求項１または３に記載の電波修正時計。
【請求項９】
前記送信局決定手段は、前記復調信号を前記秒同期情報に基づいて解析し、前記復調信号の特有の波形から前記国または地域の送信局を決定することを特徴とする請求項１または３に記載の電波修正時計。
【請求項１０】
前記秒同期検出手段は、検出された前記秒同期情報に基づいて、前記送信局決定手段による送信局の判定順序に優先順位を付けることを特徴とする請求項１または３に記載の電波修正時計。
【請求項１１】
時刻を計時する計時手段と、
該計時手段からの計時情報に基づいて時刻を表示する表示手段と、を備え、
更に、少なくとも二つ以上の国または地域の送信局からの標準電波を受信する受信手段と、
該受信手段によって得られた復調信号を解析し、前記復調信号の特有の波形から国または地域の送信局を決定する送信局決定手段と、
該送信局決定手段によって決定された送信局からの標準電波に含まれる情報を解読して時刻情報を取得する解読手段とを有し、
該解読手段によって取得された前記時刻情報に基づいて前記計時手段の計時情報を修正することを特徴とする電波修正時計。
【請求項１２】
前記受信手段は、前回受信に成功した送信局の標準電波を最初に受信することを特徴とする請求項１、３または１１のいずれか一つに記載の電波修正時計。
【請求項１３】
過去に受信に成功した送信局に関する情報を記憶する記憶手段を備え、
前記受信手段は、前記記憶手段に記憶された送信局に関する情報に基づいて、切り替える順序を決定することを特徴とする請求項１、３または１１のいずれか一つに記載の電波修正時計。
【請求項１４】
請求項１、３または１１のいずれか一つに記載の電波修正時計を備えたことを特徴とする電子機器。
【請求項１５】
時刻を計時する計時工程と、
該計時工程からの計時情報に基づいて時刻を表示する表示工程と、を備え、
更に、少なくとも二つ以上の国または地域の送信局からの標準電波を受信する受信工程と、
該受信工程によって得られた復調信号から秒同期情報を検出する秒同期検出工程と、
前記復調信号を前記秒同期情報に基づいて解析し、国または地域の送信局を決定する送信局決定工程と、
該送信局決定工程によって決定された送信局からの標準電波に含まれる情報を解読して時刻情報を取得する解読工程と、を有し、
該解読工程によって取得された前記時刻情報に基づいて前記計時工程の計時情報を修正することを特徴とする時刻修正方法。
【発明の詳細な説明】
【技術分野】
【０００１】  本発明は時刻情報を含む標準電波を受信し、受信した時刻情報に基づいて時刻を自動修正する電波修正時計、電子機器および時刻修正方法に関し、特に複数の国または地域の送信局からの標準電波を受信できる電波修正時計、電子機器および時刻修正方法の改良に関するものである。
【背景技術】
【０００２】  時刻情報を含む標準電波を小型アンテナで受信し、時刻修正を自動的に行う電波修正時計は、アンテナの小型高性能化、受信装置の低消費電力化、コストダウン等の技術開発が進み、製品化が盛んに行われている。また、標準電波を送信する送信局も日本だけでなく、アメリカ、ヨーロッパ、アジアと各国各地域で建設が進み世界的な広がりを見せている。それ故、複数の送信局からの標準電波を受信できる国または地域が増えつつあり、また、国際化が進んで電波修正時計の使用者が世界各国を移動し、その都度、各国または各地域の標準電波を受信する場面が増えつつある。【０００３】  しかしながら、これらの標準電波は各国毎に時刻情報フォーマットが異なっており、また、国や地域で送信周波数が異なっている場合もある。このため、電波修正時計が各国または各地域の標準電波を受信して時刻情報を得るには、各送信局の標準電波に対応して時刻情報フォーマットを解読する解読アルゴリズムを切り替える手段と、また、送信周波数が異なっている場合は、受信周波数を切り替える手段とが必要となる。このように複数の送信局からの標準電波を受信するための切り替え手段には、手動受信切替方式と自動受信切替方式が提案されている。【０００４】  手動受信切替方式は、電波修正時計の使用者が自分の居る国または地域において受信可能な送信局を認識し、受信する送信局を受信切り替えスイッチ等で切り替えて受信する方式である。この場合、使用者は各国または各地域において標準電波を送信する送信局を認識している必要があり、また、受信切り替えのために受信切り替えスイッチ等による操作が必要となるので利便性が悪く、更に、受信に適した送信局を選択できない可能性があるので、正確な時刻を常に表示できないという大きな問題を含んでいる。【０００５】  このような問題点を解決するために、自動受信切替の一つの方式として、記憶手段に記憶されている周波数によって標準電波の受信周波数を切り替え、受信する標準電波の受信成功／失敗の判定を行って、周波数の異なる標準電波の中から受信に適した標準電波を選択する時刻データ受信装置の提案がなされている（例えば、特許文献１参照。）。【０００６】  この提案によれば、周波数の異なる複数の標準電波を受信する受信手段と、受信する標準電波の周波数を切り替える受信周波数切替手段と、該受信周波数切替手段を制御する制御手段と、受信した時刻データに基づいて現在時刻データを修正する現在時刻修正手段を備え、前記受信手段による標準電波の受信の成功／失敗を判定する成否判定手段と、受信周波数を記憶する記憶手段を更に備え、前記制御手段は、受信手段が受信する標準電波の周波数を前記記憶手段に記憶された周波数に切り替えるように前記受信周波数切替手段を制御し、前記成否判定手段によって受信失敗と判定された場合は、前記受信周波数切替手段を他の周波数に切り替えるように制御し、前記成否判定手段により受信成功と判定された場合には、前記受信手段が受信している標準電波の周波数を前記記憶手段に記憶させることができる。この結果、周波数の異なる複数の標準電波の中から受信に成功した標準電波を迅速に選択し、選択された標準電波から時刻情報を取得して自動的に��刻修正を行うことができる。【０００７】  また、自動受信切替の他の方式として、標準電波を受信する受信部が周波数の異なる標準電波を順番に受信し、受信状態検出部によって受信したそれぞれの標準電波の受信状態を検出し、該受信状態の違いに基づいて時刻情報取得用の標準電波を指定する提案がなされている（例えば、特許文献２参照。）。【０００８】  この提案によれば、周波数の異なる複数の標準電波を順番に受信する受信部と、前記受信部が受信した前記標準電波の受信状態を検出する受信状態検出部と、前記受信状態検出部が検出したそれぞれの受信状態に基づき前記標準電波の中から一つの標準電波を時刻情報取得用として指定する受信信号指定部と、前記受信信号指定部が指定した前記標準電波から時刻情報を取得する時刻情報取得部を含み、該取得された時刻情報によって自動的に時刻修正を行うことができる。この結果、周波数の異なる複数の標準電波をそれぞれ受信して受信状態を検出するので、受信に最適な標準電波を指定して時刻情報を取得することが可能となり、信頼性の高い電波修正時計を実現できる。【０００９】
【特許文献１】特開２００３−２７０３７０号公報（特許請求の範囲、第１図）
【特許文献２】特開２００２−２９６３７４号公報（特許請求の範囲、第１図）
【発明の開示】
【発明が解決しようとする課題】
【００１０】  しかしながら、上記二つの提案は、周波数の異なる標準電波の中から、受信に適した標準電波を選択して時刻情報を取得できるが、時刻情報フォーマットの異なる標準電波を受信することはできない。例えば、日本国内であれば、送信局は周波数４０ＫＨｚの福島局と、周波数６０ＫＨｚの九州局の二つがあり、この二つの送信局から送信される標準電波は、周波数が異なるが時刻情報フォーマットは同一であるので、上記提案のような自動受信切替方式で問題なく受信することができる。しかし、標準電波の時刻情報フォーマットは各国毎に異なっているため、上記提案による電波修正時計では、使用者が世界各国に移動した場合は、その国の送信局が送信する標準電波を自動的に受信し、時刻情報を取得することはできない。すなわち、上記提案では、二つ以上の国の送信局からの標準電波を自動的に受信することはできないという問題点があった。【００１１】  本発明は、上記課題を解決し、電波修正時計の使用者が各国または各地域を移動したとしても、自動的に受信できる送信局を選択し時刻情報を取得して、常にその国またはその地域の標準時に自動修正できる全地球的な完全自動型の電波修正時計、電子機器および時刻修正方法を提供することを目的とする。
【課題を解決するための手段】
【００１２】  上記課題を解決するために、本発明の電波修正時計、電子機器および時刻修正方法は、下記記載の構成と方法を採用する。【００１３】  本発明の電波修正時計は、時刻を計時する計時手段と、該計時手段からの計時情報に基づいて時刻を表示する表示手段と、を備え、更に、少なくとも二つ以上の国または地域の送信局からの標準電波を受信する受信手段と、該受信手段によって得られた復調信号から秒同期情報を検出する秒同期検出手段と、前記復調信号を前記秒同期情報に基づいて解析し、国または地域の送信局を決定する送信局決定手段と、該送信局決定手段によって決定された送信局からの標準電波に含まれる情報を解読して時刻情報を取得する解読手段とを有し、該解読手段によって取得された前記時刻情報に基づいて前記計時手段の計時情報を修正することを特徴とする。【００１４】  本発明の電波修正時計により、二つ以上の国または地域の送信局からの標準電波を受信して時刻情報を取得できるので、電波修正時計の使用者が各国または各地域に移動しても、常にその国またはその地域の送信局からの標準電波を自動的に受信し、時刻修正を行うことができる。【００１５】  また、前記受信手段は受信切替手段を含み、前記秒同期検出手段によって秒同期情報が検出できない場合、または、前記送信局決定手段によって送信局が決定できない場合、または、前記解読手段によって時刻情報が解読できない場合は、前記受信切替手段によって、他の送信局からの標準電波を受信することを特徴とする。【００１６】  これにより、受信する標準電波からの時刻情報を取得できない場合は、受信切替手段によって他の送信局からの標準電波を受信できるので、受信に最適な送信局を選択でき、受信性能に優れた電波修正時計を提供できる。【００１７】  また、本発明の電波修正時計は、時刻を計時する計時手段と、該計時手段からの計時情報に基づいて時刻を表示する表示手段と、を備え、更に、同一周波数からなる少なくとも二つ以上の国または地域の送信局からの標準電波を受信する受信手段と、該受信手段によって得られた復調信号から秒同期情報を検出する秒同期検出手段と、前記復調信号を前記秒同期情報に基づいて解析し、国または地域の送信局を決定する送信局決定手段と、該送信局決定手段によって決定された送信局からの標準電波に含まれる情報を解読して時刻情報を取得する解読手段とを有し、該解読手段によって取得された前記時刻情報に基づいて前記計時手段の計時情報を修正することを特徴とする。【００１８】  また、本発明の電波修正時計は、前記秒同期検出手段が、前記復調信号の立ち上がりエッジと立ち下がりエッジを順次検出するエッジ検出手段と、検出された前記立ち上がりエッジまたは前記立ち下がりエッジから、前記復調信号の秒同期情報を得る同期判定手段とを含むことを特徴とする。【００１９】  また、本発明の電波修正時計は、前記秒同期検出手段が、前記復調信号の立ち上がりエッジと立ち下がりエッジを同時に検出するエッジ検出手段と、検出された前記立ち上がりエッジまたは前記立ち下がりエッジから、前記復調信号の秒同期情報を得る同期判定手段とを含むことを特徴とする。【００２０】  また、本発明の電波修正時計は、前記秒同期検出手段が、前記復調信号の立ち上がりエッジと立ち下がりエッジを一定間隔毎に検出するサンプリング手段と、該サンプリング手段によって検出された前記立ち上がりエッジと前記立ち下がりエッジの検出回数をサンプリング位置毎に加算する加算手段と、該加算手段によってサンプリング位置毎に加算された立ち上がりエッジと立ち下がりエッジの前記検出回数を記憶する記憶手段と、該記憶手段に記憶されたサンプリング位置毎の立ち上がりエッジと立ち下がりエッジの前記検出回数によって前記復調信号の秒同期情報を得る波形判定手段とを含むことを特徴とする。【００２１】  また、本発明の電波修正時計は、前記秒同期検出手段が、前記復調信号の論理“１”あるいは論理“０”を一定間隔毎に検出するサンプリング手段と、該サンプリング手段によって検出された論理“１”あるいは論理“０”のいずれか一方の検出回数を加算する加算手段を含み、前記送信局決定手段が、前記秒同期検出手段の加算手段の結果に基づいて、前記国または地域の送信局を決定することを特徴とする。【００２２】  また、本発明の電波修正時計は、前記送信局決定手段が前記復調信号を前記秒同期情報に基づいて解析し、一定周期毎に到来するポジションマーカ（Ｐコード、Ｍコードあまたるいはミニッツマーカ（ｍｉｎｕｔｅ  ｍａｒｋｅｒ））の波形から前記国または地域の送信局を決定することを特徴とする。【００２３】  また、本発明の電波修正時計は、前記送信局決定手段が前記復調信号を前記秒同期情報に基づいて解析し、前記復調信号の特有の波形から前記国または地域の送信局を決定することを特徴とする。【００２４】  また、本発明の電波修正時計は、前記秒同期検出手段が、検出された前記秒同期情報に基づいて、前記送信局決定手段による送信局の判定順序に優先順位を付けることを特徴とする。【００２５】  また、本発明の電波修正時計は、時刻を計時する計時手段と、該計時手段からの計時情報に基づいて時刻を表示する表示手段と、を備え、更に、少なくとも二つ以上の国または地域の送信局からの標準電波を受信する受信手段と、該受信手段によって得られた復調信号を解析し、前記復調信号の特有の波形から国または地域の送信局を決定する送信局決定手段と、該送信局決定手段によって決定された送信局からの標準電波に含まれる情報を解読して時刻情報を取得する解読手段とを有し、該解読手段によって取得された前記時刻情報に基づいて前記計時手段の計時情報を修正することを特徴とする。【００２６】  また、本発明の電波修正時計は、前記受信手段が、前回受信に成功した送信局の標準電波を最初に受信することを特徴とする。【００２７】  また、本発明の電波修正時計は、過去に受信に成功した送信局に関する情報を記憶する記憶手段を備え、前記受信手段が、前記記憶手段に記憶された送信局に関する情報に基づいて、切り替える順序を決定することを特徴とする。【００２８】  また、本発明の電子機器は、上記電波修正時計を備えたことを特徴とする。【００２９】  本発明の時刻修正方法は、時刻を計時する計時工程と、該計時工程からの計時情報に基づいて時刻を表示する表示工程と、を備え、更に、少なくとも二つ以上の国または地域の送信局からの標準電波を受信���る受信工程と、該受信工程によって得られた復調信号から秒同期情報を検出する秒同期検出工程と、前記復調信号を前記秒同期情報に基づいて解析し、国または地域の送信局を決定する送信局決定工程と、該送信局決定工程によって決定された送信局からの標準電波に含まれる情報を解読して時刻情報を取得する解読工程とを有し、該解読工程によって取得された前記時刻情報に基づいて前記計時工程の計時情報を修正することを特徴とする。
【発明の効果】
【００３０】  本発明によれば、少なくとも二つ以上の国または地域の送信局からの標準電波を受信し、該受信して得られた復調信号から秒同期情報を検出し、該秒同期情報に基づいて標準電波の送信局を決定するので、電波修正時計の使用者が各国または各地域を移動したとしても、自動的に受信できる送信局を選択し、常にその国またはその地域の標準時に自動修正する電波修正時計を提供することができる。
【図面の簡単な説明】
【００３１】
【図１−１】図１−１は、本発明の電波修正時計の一例を示す説明図である。
【図１−２】図１−２は、標準電波を送信する送信局を示した説明図である。
【図２】図２は、各国の標準電波を復調した復調信号の波形形態を示す説明図である。
【図３】図３は、本発明の実施例１と実施例２の電波修正時計の回路ブロック図である。
【図４】図４は、本発明の実施例１の動作を説明するフローチャート（その１）である。
【図５】図５は、本発明の実施例１の動作を説明するフローチャート（その２）である。
【図６】図６は、本発明の実施例１の動作を説明するフローチャート（その３）である。
【図７】図７は、本発明の実施例１の動作を説明するフローチャート（その４）である。
【図８】図８は、本発明の実施例２の動作を説明するフローチャートである。
【図９】図９は、本発明の実施例３の電波修正時計の回路ブロック図である。
【図１０】図１０は、本発明の実施例３の動作を説明するフローチャートである。
【図１１−１】図１１−１は、本発明の実施例３の秒同期検出手段の波形判定回路の動作に関し、日本の標準電波の復調信号とサンプリング関係を示す説明図である。
【図１１−２】図１１−２は、本発明の実施例３の秒同期検出手段の波形判定回路の動作に関し、立ち上がりエッジの検出回数をグラフ化した説明図である。
【図１１−３】図１１−３は、本発明の実施例３の秒同期検出手段の波形判定回路の動作に関し、立ち下がりエッジの検出回数をグラフ化した説明図である。
【図１２−１】図１２−１は、アメリカ局の標準電波の立ち上がりエッジの検出回数をグラフ化した説明図である。
【図１２−２】図１２−２は、アメリカ局の標準電波の立ち下がりエッジの検出回数をグラフ化した説明図である。
【図１３−１】図１３−１は、イギリス局の標準電波の立ち上がりエッジの検出回数をグラフ化した説明図である。
【図１３−２】図１３−２は、イギリス局の標準電波の立ち下がりエッジの検出回数をグラフ化した説明図である。
【符号の説明】
【００３２】  １  電波修正時計
３  表示部
４  受信アンテナ
５（５ａ〜５ｃ）  入力手段
１０〜１５  送信局
１０ａ〜１５ａ  標準電波
２０  受信部
２０ａ  同調手段
２１  受信ＩＣ
２２  制御手段
２３，３２  秒同期検出手段
２３ａ  エッジ検出回路
２３ｂ  カウンタ
２３ｃ  同期判定回路
２４，３２ｃ  ＲＡＭ
２５  送信局決定手段
２６  解読手段
２７  計時手段
２８  表示駆動手段
２９  ＲＯＭ
３０  基準信号源
３１  電源部
３２ａ  サンプリング検出回路
３２ｂ  加算回路
３２ｄ  波形判定回路
Ｐ１  同調信号
Ｐ２  復調信号
Ｐ３  秒同期情報
Ｐ４  送信局情報
Ｐ５  時刻情報
Ｐ６  計時情報
Ｐ７  駆動信号
Ｐ８  入力信号
Ｐ９  基準信号
Ｐ１０  受信制御信号
Ｐ１１  カウントデータ
【発明を実施するための最良の形態】
【００３３】  以下に、本発明にかかる電波修正時計、電子機器および時刻修正方法の実施例を図面に基づいて詳細に説明する。なお、この実施例によってこの発明が限定されるものではない。【００３４】  図１−１は、本発明の電波修正時計の一例を示す説明図であり、図１−２は、標準電波を送信する送信局を示した説明図である。図１−１および図１−２に基づいて、本発明の電波修正時計と標準電波を送信する送信局の概略を説明する。図１−１において、１は本発明のアナログ表示方式の電波修正時計である。２は金属等によってなる外装であり、３は表示手段としての表示部であり、秒針３ａ、分針３ｂ、時針３ｃ、および日付を表示する日付表示部３ｄによって構成される。４は超小型の受信アンテナであり、外装２の内部の１２時方向に配置されているが、この位置に限定されるものではなく、例えば９時方向に配置されてもよい。５ａは入力手段の一部に相当する時刻や日付を修正するリューズであり、複数の電気的なスイッチ（図示せず）と連動している。５ｂと５ｃは入力手段の一部に相当する操作ボタンであり、それぞれ電気的なスイッチ（図示せず）と連動している。６は使用者（図示せず）の腕に装着するためのバンドである。【００３５】  １０〜１５は時刻情報を含む標準電波１０ａ〜１５ａを送信する各国に建設されている送信局であり、一例として送信局１０は送信周波数４０ＫＨｚの日本の福島局であり、１１は送信周波数６０ＫＨｚのアメリカ局であり、１２は送信周波数６０ＫＨｚのイギリス局であり、１３は送信周波数７７．５ＫＨｚのドイツ局であり、１４は送信周波数７５ＫＨｚのスイス局であり、１５は送信周波数６０ＫＨｚの日本の九州局であるとする。これらの送信局１０〜１５より送信される標準電波１０ａ〜１５ａは、半径１０００Ｋｍ程度の範囲で受信することができ、また、これらの標準電波１０ａ〜１５ａの時刻情報フォーマットは、各国でそれぞれ個別に設定されている。【００３６】  ここで、電波修正時計１で標準電波１０ａ〜１５ａのいずれかを受信するには、好ましくは電波修正時計１の受信アンテナ４が配置されている位置を、送信局１０〜１５があるいずれかの方向に向け、受信開始ボタン（例えば操作ボタン５ｃ）を押下する。これにより、電波修正時計１は受信動作を開始し、到来している標準電波１０ａ〜１５ａのいずれかを受信する。次に電波修正時計１は受信した標準電波を復調信号に変換して解析し、受信した標準電波がどの送信局からの標準電波であるかを判定して、受信した標準電波の時刻情報フォーマットに対応する解読アルゴリズムを用いて解読し、秒分時や日付等の時刻情報と必要に応じて閏年やサマータイムの有無データ等を取得し、取得した時刻情報を計時して表示部３によって時刻情報や日付を表示する。【００３７】  図２は、各国の標準電波を復調した復調信号の波形形態を示す説明図である。図２に基づいて、図１−２で一例として示した代表的な各国の標準電波の形態について説明する。これらの復調信号は、１秒に対して正確に同期した同期信号であり、例えば、日本の復調信号は立ち上がりエッジが１秒に対して同期しており、アメリカ、ドイツ、イギリスでは共に立ち下がりエッジが１秒に対して同期��ている。各復調信号は、この１秒に対して同期した位置（すなわち秒同期位置）を基準として、日本、アメリカ、ドイツでは１秒毎に１ビットの情報を現し、イギリスでは、１秒毎に２ビットの情報を現している。【００３８】  例えば、日本では、秒同期位置（すなわち立ち上がりエッジ）から８００ｍＳのＨレベルのパルスが続くと論理“０”を現し、５００ｍＳのＨレベルのパルスが続くと論理“１”を現している。また、ポジションマーカ（Ｐコード）と呼ばれるデータの区切りマーカは２００ｍＳのＨレベルのパルスで現される。また、アメリカでは、秒同期位置（すなわち立ち下がりエッジ）から２００ｍＳのＬレベルのパルスが続くと論理“０”を現し、５００ｍＳのＬレベルのパルスが続くと論理“１”を現している。また、Ｐコードは８００ｍＳのＬレベルのパルスで現される。【００３９】  また、ドイツでは、秒同期位置（すなわち立ち下がりエッジ）から１００ｍＳのＬレベルのパルスが続くと論理“０”を現し、２００ｍＳのＬレベルのパルスが続くと論理“１”を現している。また、Ｍコードと呼ばれる５９秒を示す１分毎に発生するマーカはＨレベルを維持することによって現される。また、イギリスでは、前述した如く、１秒間で２ビットの情報を現し、該２ビットの情報をＡ，Ｂとすると、図示する如く、Ａ＝０，Ｂ＝０は、秒同期位置から１００ｍＳのＬレベルのパルスで現し、Ａ＝１，Ｂ＝０は、２００ｍＳのＬレベルのパルスで現し、Ａ＝０，Ｂ＝１は、二つの１００ｍＳのＬレベルのパルスで現し、Ａ＝１，Ｂ＝１は、３００ｍＳのＬレベルのパルスで現している。また、００秒を示す１分毎に発生するＭコードは、５００ｍＳのＬレベルのパルスで現している。【００４０】  また、スイスでは、秒同期位置（すなわち立ち下がりエッジ）から１００ｍＳのＬレベルのパルスが続くと論理“０”を現し、２００ｍＳのＬレベルのパルスが続くと論理“１”を現している。また、ミニッツマーカ（ｍｉｎｕｔｅ  ｍａｒｋｅｒ））は、二つの１００ｍＳのＬレベルのパルスで現される。【００４１】  以上のように、標準電波は１秒に秒同期した信号によって論理を現しており、１分間を１周期として時、分、日等の時刻情報を表現している。ここでは、各国の時刻情報フォーマットの詳細は本発明に直接関わらないので説明は省略するが、電波修正時計が受信した標準電波から、その標準電波の送信局（すなわち国）を特定するには、まず、受信した標準電波の秒同期位置を検出し、また、その秒同期位置が復調信号の立ち上がりエッジによるのか立ち下がりエッジによるのかを判定し、次に、検出された秒同期位置を基準としてパルス幅等を解析し受信した標準電波の送信局を決定する。【００４２】  そして、各国の標準電波の時刻情報フォーマットは公開されているので、受信した標準電波の送信局が特定し、フォーマットに従って時刻情報を解読すれば、どの国の標準電波を受信したとしても、時刻情報を取得することができる。本発明は、以上のような考えに基づいて各国の標準電波から時刻情報を自動的に取得できる電波修正時計を提供するものである。以下、実施例に基づいて説明する。
【実施例１】
【００４３】  図３は、本発明の実施例１と実施例２の電波修正時計の回路ブロック図である。図３に基づいて、本発明の実施例１としての電波修正時計１の回路構成の概略を説明する。図３において、２０は各国の送信局の標準電波を選択的に受信する受信手段としての受信部である。該受信部２０は、標準電波を受信する受信アンテナ４と、該受信アンテナ４と同調回路を形成する受信切替手段としての同調手段２０ａと、受信ＩＣ２１によって構成される。同調手段２０ａは、図示しないが内部に複数の同調用コンデンサを有し、該複数のコンデンサを受信アンテナ４に対して切り替えることにより、同調回路の同調周波数を変化させて標準電波の受信周波数を切り替え、同調信号Ｐ１を出力する。【００４４】  受信ＩＣ２１は、図示しないが内部に増幅回路、フィルタ回路、デコード回路等を有し、同調信号Ｐ１を入力してデジタル信号に変換された復調信号Ｐ２を出力する。２２は電波修正時計１の全体を制御する制御手段であり、復調信号Ｐ２を入力して秒同期情報Ｐ３を出力する秒同期検出手段２３、各種データを一時的に記憶するＲＡＭ２４、秒同期情報Ｐ３を入力して送信局を決定する送信局決定手段２５、該送信局決定手段２５からの送信局情報Ｐ４と復調信号Ｐ２と秒同期情報Ｐ３を入力して復調信号Ｐ２の時刻情報フォーマットを解読する解読手段２６、該解読手段２６が取得した時刻情報Ｐ５によって計時情報Ｐ６を修正し出力する計時手段２７、計時情報Ｐ６を入力して表示部３を駆動するための駆動信号Ｐ７を出力する表示駆動手段２８、各動作フローを制御するためのファームウエアを記憶するＲＯＭ２９等によって構成される。【００４５】  また、制御手段２２は、受信制御信号Ｐ１０を受信部２０に対して出力し、同調手段２０ａを制御して受信する標準電波の受信周波数を切り替えたり、受信ＩＣ２１の動作開始制御を行う。受信また、秒同期検出手段２３は復調信号Ｐ２の立ち上がりエッジと立ち下がりエッジを検出するエッジ検出手段としてのエッジ検出回路２３ａと、エッジ間隔を計測するカウンタ２３ｂと、秒同期情報Ｐ３を得る同期判定手段としての同期判定回路２３ｃ等によって構成される。なお、制御手段２２は、ＲＯＭ２９に記憶されるファームウエアによって動作するマイクロコンピュータであることがシステムに柔軟性があって好ましいが、これに限定されず、各機能をハードウエアによって構成するカスタムＩＣであってもよい。また、図３で示す回路構成は、これに限定されず、本発明の要旨を逸脱しない範囲で任意に変更できる。【００４６】  次に、入力手段５は前述した如く、リューズ５ａや操作ボタン５ｂ、５ｃによってなり、入力信号Ｐ８が制御手段２２に入力されて手動による時刻修正や受信開始動作等を実行する。表示部３は、制御手段２２の前記表示駆動手段２８からの駆動信号Ｐ７を入力して時刻や日付等を表示する。３０は水晶振動子（図示せず）を内蔵する基準信号源であり、基準信号Ｐ９を制御手段２２に出力し、該基準信号Ｐ９は計時手段２７が記憶する前記計時情報Ｐ６を計時する基準クロックとして機能する。３１は一次電池または二次電池等によってなる電源部であり、図示しないが電源ラインを介して各回路ブロックに電源を���給する。【００４７】  次に、図３に基づいて電波修正時計１の概略動作を説明する。電源部３１によって各回路ブロックに電源が供給されると、制御手段２２は初期化処理を実行して各回路ブロックを初期化する。この結果、制御手段２２の計時手段２７の内部の計時情報Ｐ６は初期化されてＡＭ００：００：００となり、この初期化された計時情報Ｐ６に基づいて表示駆動手段２８から駆動信号Ｐ７が出力され、表示部３の秒針３ａ、分針３ｂ、時針３ｃは基準位置であるＡＭ００：００：００に移動し、また、日付表示部３ｄも基準位置に移動する。なお、表示部３の基準位置への自動的な移動は、表示部３を駆動する電波修正時計１内部の輪列機構（図示せず）に位置検出機構が備えられている場合に可能となるが、位置検出機構が備えられていない場合は、使用者がリューズ５ａ等を操作してマニュアルで基準位置に移動させるとよい。【００４８】  次に、計時手段２７は基準信号源３０からの基準信号Ｐ９を入力して計時情報Ｐ６の計時を開始し、表示駆動手段２８は順次計時される計時情報Ｐ６に基づいて駆動信号Ｐ７を出力して表示部３を継続的に駆動する。また、制御手段２２は、使用者による入力手段５の操作や一定時間毎のタイマー等によって時刻修正モードに移行し、標準電波を受信して表示時刻の自動修正を実行する。【００４９】  図４〜図７は、本発明の実施例１の動作を説明するフローチャートである。図４〜図７のフローチャートに基づいて、時刻修正モードの動作を説明する。図４のフローチャートにおいて、電波修正時計１が使用者の操作やタイマー等によって時刻修正モードに移行すると、制御手段２２は受信制御信号Ｐ１０を受信部２０に対して出力し、受信制御信号Ｐ１０を受信部２０に対して出力し、同調手段２０ａは、受信制御信号Ｐ１０によって指定された受信周波数に切り替え、受信ＩＣ２１は標準電波の受信動作を開始する（ステップＳ４０１）。【００５０】  次に、標準電波が受信アンテナ４によって受信されると、同調手段２０ａは同調信号Ｐ１を出力し、受信ＩＣ２１は微弱な信号である同調信号Ｐ１を入力して増幅し、フィルタ回路（図示せず）によってノイズ成分等を除去し、更にデコード回路（図示せず）によってデジタル信号に変換し、復調信号Ｐ２を出力する（ステップＳ４０２）。【００５１】  次に、秒同期検出手段２３のエッジ検出回路２３ａは復調信号Ｐ２を入力し、一定期間（例えば１０秒間）立ち下がりエッジを検出する（ステップＳ４０３）。日本とアメリカの場合、ポジションマーカのコードが１０秒おきに入っているので、１０秒間を検出することで必ずポジションマーカのコードが含まれることになる。ポジションマーカが含まれることによって、標準電波を識別することができるようになる。すなわち、ポジションマーカが含まれないような一定期間（例えば、“０”と“１”のみ）では、日本局とアメリカ局を比較した場合、立ち下がりなのか立ち上がりなのかを判断できなくなってしまうからである。したがって、少なくとも１０秒以上検出するのが望ましい。【００５２】  ここで、エッジ検出回路２３ａによって最初の立ち下がりエッジが検出されると、カウンタ２３ｂはリセットされ、次の立ち下がりエッジが検出され���までクロック信号（図示せず）によってカウント動作が継続される。エッジ検出回路２３ａによって次の立ち下がりエッジが検出されると、カウンタ２３ｂのカウント動作は停止され、カウントデータＰ１１がＲＡＭ２４に書き込まれ、その後、カウンタ２３ｂは再びリセットされて次の立ち下がりエッジが検出されるまで、再びカウント動作が継続され、１０秒間この動作が繰り返される。この結果、ＲＡＭ２４には、１０秒間の間に検出された立ち下がりエッジの時間間隔データが記憶される。【００５３】  次に、秒同期検出手段２３の同期判定回路２３ｃは、ＲＡＭ２４に記憶されたカウントデータＰ１１を読み出し、各カウントデータＰ１１が１秒に対してどの程度ずれているかを調べ、１０秒間に到来した立ち下がりエッジが１秒に同期した秒同期信号であるかを判定する（ステップＳ４０４）。すなわち、１０秒間に到来した立ち下がりエッジの検出回数が１０個であり、各立ち下がりエッジの時間間隔（すなわちカウントデータＰ１１）が１秒に等しいか近ければ、検出された立ち下がりエッジは秒同期信号であり、その立ち下がりエッジの位置が秒同期位置であると判定される。しかし、各立ち下がりエッジの時間間隔が１秒に対してバラツキが大きければ、その立ち下がりエッジは秒同期信号ではないと判定される。ここで、秒同期信号であると判定された場合（ステップＳ４０４：Ｙｅｓ）は、ステップＳ４０５へ移行し、秒同期信号でないと判定された場合（ステップＳ４０４：Ｎｏ）は、ステップＳ４０７へ移行する。なお、検出時間の１０秒は任意に変更してよい。【００５４】  次に、ステップＳ４０４において、秒同期信号であると判定された場合（ステップＳ４０４：Ｙｅｓ）は、秒同期検出手段２３から秒同期情報Ｐ３が送信局決定手段２５に対して出力される。ここでの秒同期情報Ｐ３は、復調信号Ｐ２の波形情報と秒同期位置と秒同期信号が立ち下がりエッジである等の情報を含んでいる。送信局決定手段２５は前記秒同期情報Ｐ３を入力し、復調信号Ｐ２の波形がアメリカの復調信号の形態に一致しているかを判定する（ステップＳ４０５）。すなわち、送信局決定手段２５は秒同期位置（立ち下がりエッジの位置）からパルス幅２００ｍＳ、パルス幅５００ｍＳ、パルス幅８００ｍＳに等しいか近いパルスが存在しているか、また、それ以外のパルス幅の波形が無いかを判定する。ここで、アメリカの標準電波であると判定した場合（ステップＳ４０５：Ｙｅｓ）は、ステップＳ４１０へ移行し、アメリカの標準電波ではないと判定した場合（ステップＳ４０５：Ｎｏ）は、ステップＳ４０６へ移行する。【００５５】  次に、ステップＳ４０５において、アメリカの標準電波であると判定した場合（ステップＳ４０５：Ｙｅｓ）は、送信局決定手段２５は送信局情報Ｐ４を解読手段２６に対して出力する。ここで、送信局情報Ｐ４は、受信した標準電波がアメリカの標準電波である情報を含んでいる。解読手段２６は、送信局情報Ｐ４と共に、復調信号Ｐ２と秒同期情報Ｐ３を入力し、アメリカの時刻情報フォーマットに対応する解読アルゴリズムを用いて復調信号Ｐ２を解読し（ステップＳ４１０）、解読できたか否かを判定し（ステップＳ４１３）、解読できた場合（ステップＳ���１３：Ｙｅｓ）は、時刻情報Ｐ５を出力し、時刻修正処理を行う（ステップＳ４１４）。【００５６】  すなわち、計時手段２７は、時刻情報Ｐ５を入力して内部で計時している計時情報Ｐ６を修正し、アメリカの標準時に計時情報Ｐ６を一致させる。表示駆動手段２８は修正された計時情報Ｐ６を入力して、表示部３を駆動する駆動信号Ｐ７を出力し、表示部３は、受信されたアメリカの標準時を表示する。以降、時刻修正モードは終了し、計時手段２７によって計時情報Ｐ６が計時され、表示部３は時刻を継続的に表示する。その後、一連の処理を終了する。なお、実際にはアメリカ（すなわちアメリカ合衆国）では地域によって時差があるので、アメリカの各送信局が送信する標準時はＵＴＣ（協定世界時）を用いている。このため、アメリカ現地時刻を正しく表示するには、ＵＴＣに対して時差修正（−５Ｈ〜−８Ｈ、夏時間では−４Ｈ〜−７Ｈ）が必要である。【００５７】  一方、ステップＳ４０５において、アメリカの標準電波でないと判定した場合（ステップＳ４０５：Ｎｏ）は、送信局決定手段２５は、すでに入力している秒同期情報Ｐ３によって、復調信号Ｐ２の波形がイギリスの復調信号の形態に一致しているかを判定する（ステップＳ４０６）。すなわち、送信局決定手段２５は秒同期位置（立ち下がりエッジの位置）からパルス幅１００ｍＳ、パルス幅２００ｍＳ、パルス幅３００ｍＳ、パルス幅５００ｍＳに等しいか近いパルスが存在しているか、また、それ以外のパルス幅の波形が無いかを判定する。ここで、イギリスの標準電波であると判定した場合（ステップＳ４０６：Ｙｅｓ）は、ステップＳ４１１へ移行し、イギリスの標準電波ではないと判定した場合（ステップＳ４０６：Ｎｏ）は、ステップＳ４０７へ移行する。【００５８】  次に、イギリスの標準電波であると判定した場合（ステップＳ４０６：Ｙｅｓ）は、送信局決定手段２５は送信局情報Ｐ４を解読手段２６に対して出力する。ここで、送信局情報Ｐ４は、受信した標準電波がイギリスの標準電波である情報を含んでいる。解読手段２６は、送信局情報Ｐ４と共に、復調信号Ｐ２と秒同期情報Ｐ３を入力し、イギリスの時刻情報フォーマットに対応する解読アルゴリズムを用いて復調信号Ｐ２を解読し（ステップＳ４１１）、解読できたか否かを判定し（ステップＳ４１３）、解読できた場合（ステップＳ４１３：Ｙｅｓ）は、時刻情報Ｐ５を出力し、時刻修正処理を行う（ステップＳ４１４）。【００５９】  すなわち、計時手段２７は、時刻情報Ｐ５を入力して内部で計時している計時情報Ｐ６を修正し、アメリカの標準時に計時情報Ｐ６を一致させる。表示駆動手段２８は修正された計時情報Ｐ６を入力して、表示部３を駆動する駆動信号Ｐ７を出力し、表示部３は、受信されたアメリカの標準時を表示する。以降、時刻修正モードは終了し、計時手段２７によって計時情報Ｐ６が計時され、表示部３は時刻を継続的に表示する。その後、一連の処理を終了する。【００６０】  一方、ステップＳ４０６において、イギリスの標準電波でないと判定した場合（ステップＳ４０６：Ｎｏ）は、立ち下がりエッジを秒同期信号とする送信局が見つからなかったので、立ち上がりエッジでの秒同期信号が存在するかを確認するためにステップＳ４０７へ移行する。【００６１】  以下、ステップＳ４０７以降の処理について説明する。秒同期検出手段２３のエッジ検出回路２３ａは復調信号Ｐ２を入力し、一定期間（例えば１０秒間）立ち上がりエッジを検出する（ステップＳ４０７）。ここで、エッジ検出回路２３ａによって最初の立ち上がりエッジが検出されると、カウンタ２３ｂはリセットされ、次の立ち上がりエッジが検出されるまでクロック信号（図示せず）によってカウント動作が継続される。エッジ検出回路２３ａによって次の立ち上がりエッジが検出されると、カウンタ２３ｂのカウント動作は停止され、カウントデータＰ１１がＲＡＭ２４に書き込まれ、その後、カウンタ２３ｂは再びリセットされて次の立ち上がりエッジが検出されるまで、再びカウント動作が継続され、１０秒間この動作が繰り返される。この結果、ＲＡＭ２４には１０秒間の間に検出された立ち上がりエッジの時間間隔データが記憶される。【００６２】  次に、秒同期検出手段２３の同期判定回路２３ｃは、ＲＡＭ２４に記憶されたカウントデータＰ１１を読み出し、各カウントデータＰ１１が１秒に対してどの程度ずれているかを調べ、１０秒間に到来した立ち上がりエッジが１秒に同期した秒同期信号であるかを判定する（ステップＳ４０８）。すなわち、１０秒間に到来した立ち上がりエッジの検出回数が１０個であり、各立ち上がりエッジの時間間隔（すなわちカウントデータＰ１１）が１秒に等しいか近ければ、検出された立ち上がりエッジは秒同期信号であり、その立ち上がりエッジの位置が秒同期位置であると判定される。しかし、各立ち上がりエッジの時間間隔が１秒に対してバラツキが大きければ、その立ち上がりエッジは秒同期信号ではないと判定される。ここで、秒同期信号であると判定された場合（ステップＳ４０８：Ｙｅｓ）は、ステップＳ４０９へ移行し、秒同期信号でないと判定された場合（ステップＳ４０８：Ｎｏ）は、ステップＳ４１５へ移行する。【００６３】  次に、ステップＳ４０８において、秒同期信号であると判定された場合（ステップＳ４０８：Ｙｅｓ）は、秒同期検出手段２３から秒同期情報Ｐ３が送信局決定手段２５に対して出力される。ここでの秒同期情報Ｐ３は、復調信号Ｐ２の波形情報と秒同期位置と秒同期信号が立ち上がりエッジである等の情報を含んでいる。送信局決定手段２５は、前記秒同期情報Ｐ３を入力し、復調信号Ｐ２の波形が日本の復調信号の形態に一致しているかを判定する（ステップＳ４０９）。すなわち、送信局決定手段２５は秒同期位置（立ち上がりエッジの位置）からパルス幅８００ｍＳ、パルス幅５００ｍＳ、パルス幅２００ｍＳに等しいか近いパルスが存在しているか、また、それ以外のパルス幅の波形が無いかを判定する。ここで、日本の標準電波であると判定された場合（ステップＳ４０９：Ｙｅｓ）は、ステップＳ４１２へ移行し、日本の標準電波でないと判定された場合（ステップＳ４０９：Ｎｏ）は、ステップＳ４１５へ移行する。【００６４】  一方、ステップＳ４０９において、日本の標準電波であると判定された場合（ステップＳ４０９：Ｙｅｓ）は、送信局決定手段２５は送信局情報Ｐ４を解読手段２６に対して出力する。ここで、送信局情報Ｐ４は、受信し���標準電波が日本の標準電波である情報を含んでいる。解読手段２６は、送信局情報Ｐ４と共に、復調信号Ｐ２と秒同期情報Ｐ３を入力し、日本の時刻情報フォーマットに対応する解読アルゴリズムを用いて復調信号Ｐ２を解読し（ステップＳ４１２）、ステップＳ４１３へ移行する。以下の時刻修正動作は重複するので説明は省略する。【００６５】  ステップＳ４０９において、日本の標準電波でないと判定された場合（ステップＳ４０９：Ｎｏ）は、他の送信局があるか否かを判定し（ステップＳ４１５）、他の送信局（例えばドイツ等）があれば（ステップＳ４１５：Ｙｅｓ）、送信局決定手段２５で更に他国の送信局の判定を行う。すなわち、日本の標準電波でないと判定され（ステップＳ４０９：Ｎｏ）、送信局を決定できない場合は、制御手段２２は受信制御信号Ｐ１０を受信部２０の受信切替手段である受信部２０に出力し、同調手段２０ａを制御して受信アンテナ４による同調回路の同調周波数を切り替え、他の送信局からの標準電波を受信するために、ステップＳ４０１から再び、受信ＩＣ２１を制御して受信動作を開始する。また、他の送信局からの標準電波を受信するための受信切り替え動作は、送信局が決定できない場合だけでなく、秒同期検出手段２３によって秒同期情報Ｐ３を検出できない場合や、送信局決定手段２５によって送信局が決定されても、解読手段２６によって、その送信局の時刻情報フォーマットを解読することができなかった場合においても、実行するようにさせてよい。一方、他の送信局がなければ（ステップ４１５：Ｎｏ）は、受信不可として時刻修正モードを終了する。【００６６】  また、ステップＳ４０５、ステップＳ４０６、ステップＳ４０９において、送信局決定手段２５は、復調信号Ｐ２のパルス幅の一つ一つを詳細に調べ、対応する送信局からの標準電波であるかを判定しているが、この判定方法に限定されず、任意の判定方法を用いてもよい。すなわち、日本やアメリカの標準電波の時刻情報フォーマットでは、ポジションマーカ（Ｐコード）と呼ばれる区切りコードが存在するが、このＰコードのパルス幅に着目し、Ｐコードを検出することによって送信局を決定してもよい。例えば、アメリカのＰコードは立ち下がりエッジから８００ｍＳのパルス幅を有する波形であるが、送信局決定手段２５がこの８００ｍＳのパルス幅に等しいか近いパルスの波形を検出したならば、直ちに送信局はアメリカであると決定してもよい。【００６７】  図５のフローチャートにおいて、ステップＳ５０１〜Ｓ５０４までは、図４のフローチャートに示したステップＳ４０１〜Ｓ４０４と同様であるので、その説明は省略する。ステップＳ５０５において、８００ｍＳのパルス幅に等しいか近いパルスを検出したか否かを判定する（ステップＳ５０５）。ここで、８００ｍＳのパルス幅に等しいか近いパルスを検出した場合（ステップＳ５０５：Ｙｅｓ）は、直ちに送信局はアメリカであると判断（決定）し（ステップＳ５０６）、図４のフローチャートに示したステップＳ４１０に移行する。ここで、検出された８００ｍＳのパルス幅に等しいか近いパルスがノイズである場合も考えられるため、８００ｍＳのパルス幅に等しいか近いパルスを１度だけでなく、複数個検出���た場合にのみ、直ちに送信局はアメリカであると判断するようにしてもよい。更に、８００ｍＳのパルス幅に等しいか近いパルスを連続して検出した場合にのみ、直ちに送信局はアメリカであると判断するようにしてもよい。一方、８００ｍＳのパルス幅に等しいか近いパルスを検出しなかった場合（ステップＳ５０５：Ｎｏ）は、図４のフローチャートに示したステップＳ４０６へ移行する。【００６８】  また、その際、秒同期信号であるか否かを判定する前に、８００ｍＳのパルス幅に等しいか近いパルスを検出するようにしてもよい。図６のフローチャートにおいて、ステップＳ６０１〜Ｓ６０３までは、図４のフローチャートに示したステップＳ４０１〜Ｓ４０３、図５のフローチャートに示したステップＳ５０１〜Ｓ５０３と同様であるので、その説明は省略する。ステップＳ６０４において、秒同期信号であるか否かを判定する前に、まず、８００ｍＳのパルス幅に等しいか近いパルスを検出したか否かを判定する（ステップＳ６０４）。ここで、８００ｍＳのパルス幅に等しいか近いパルスを検出した場合（ステップＳ６０４：Ｙｅｓ）は、次に、１０秒間に到来した立ち下がりエッジが１秒に同期した秒同期信号であるかを判定する（ステップＳ６０５）。ここで、秒同期信号であると判定された場合（ステップＳ６０５：Ｙｅｓ）は、送信局はアメリカであると判断し（ステップＳ６０６）、図４のフローチャートに示したステップＳ４１０へ移行する。一方、秒同期信号でないと判定された場合（ステップＳ６０５：Ｎｏ）は、日本のＰコードは立ち上がりエッジから２００ｍＳのパルス幅を有する波形であり、結果として、立ち下がりから次の立ち上がりまで８００ｍＳのパルス幅を有する波形となるため、送信局は日本であると判断し（ステップＳ６０７）、図４のフローチャートに示したステップＳ４１２へ移行する。【００６９】  また、送信局決定手段２５による送信局の決定において、前述のポジションマーカ以外で、その送信局の特有の波形に着目して送信局を決定してもよい。例えば、受信した標準電波がイギリスもしくはアメリカのいずれかであるような場合、図２で示すようにイギリスの復調信号は立ち下がりエッジから３００ｍＳのパルス幅の波形が存在するが、アメリカの復調信号では３００ｍＳのパルス幅は存在せず、存在するパルス幅は２００ｍＳと５００ｍＳと８００ｍＳである。よって、送信局決定手段２５が３００ｍＳのパルス幅に等しいか近いパルスの波形を検出したならば、直ちに送信局はイギリスであると決定してもよい。このようにして、送信局の決定を迅速に実行することができる。【００７０】  図７のフローチャートにおいて、ステップＳ７０１〜Ｓ７０３までは、図４のフローチャートに示したステップＳ４０１〜Ｓ４０３と同様であるので、その説明は省略する。ステップＳ７０４において、秒同期信号であるか否かを判定することなく、３００ｍＳのパルス幅に等しいか近いパルスを検出したか否かを判定する（ステップＳ７０４）。ここで、３００ｍＳのパルス幅に等しいか近いパルスを検出した場合（ステップＳ７０４：Ｙｅｓ）は、直ちに、送信局はイギリスであると判断し（ステップＳ７０５）、図４のフローチャートに示したステップＳ４���１へ移行する。３００ｍＳのパルス幅に等しいか近いパルスを検出した場合は、直ちに、送信局はイギリスであると判断するのは、３００ｍＳのパルス幅は、送信局がイギリスの場合のみだからである（図２を参照）。ただし、ここで、検出された３００ｍＳのパルス幅に等しいか近いパルスがノイズである場合も考えられるため、３００ｍＳのパルス幅に等しいか近いパルスを１度だけでなく、複数個検出した場合にのみ、直ちに送信局はイギリスであると判断するようにしてもよい。一方、ステップＳ７０４において、３００ｍＳのパルス幅に等しいか近いパルスを検出しなかった場合（ステップＳ７０４：Ｎｏ）は、図４のフローチャートに示したステップＳ４０４へ移行する。【００７１】  以上のように、本発明の実施例１の電波修正時計によれば、標準電波の周波数が異なっていても、または等しくても、また、秒同期が立ち上がりエッジであっても立ち下がりエッジであっても、更に、時刻情報フォーマットが異なっていても、様々な国または地域の送信局からの標準電波を受信して時刻情報を取得できるので、電波修正時計の使用者が各国または各地域に移動しても、常にその国またはその地域の送信局からの標準電波を自動的に受信し、時刻修正を行うことができる。また、秒同期検出手段２３は、復調信号Ｐ２の立ち下がりエッジと立ち上がりエッジを順番に検出するので、秒同期検出手段２３のエッジ検出回路２３ａの回路規模を簡素化でき、また、動作フローも繰り返しフローが多いのでサブルーチン化し易く、ファームウエアを記憶するＲＯＭ２９や一時的なデータを記憶するＲＡＭ２４の記憶容量を小さくすることが可能であり、コストの安い電波修正時計を提供できる。
【実施例２】
【００７２】  次に本発明の実施例２の構成を図３を用いて説明する。ここで、実施例２と前述の実施例１の回路構成の違いは、エッジ検出回路２３ａとカウンタ２３ｂの内部構成の差だけであり、実施例１でのエッジ検出回路２３ａは内部のエッジ検出ユニットが一組、カウンタ２３ｂも内部のカウンタユニットが一組だけであるのに対して、実施例２でのエッジ検出回路２３ａは内部のエッジ検出ユニットが二組、また、カウンタ２３ｂも内部のカウンタユニットが二組あり、復調信号の立ち上がりエッジと立ち下がりエッジを同時に検出できる構成である。よって、図３で示す回路ブロック図は実施例２においても適応できる。【００７３】  次に、本発明の実施例２の動作を説明する。ここで、実施例２の動作は秒同期検出手段２３の動作以外は、実施例１と同様であるので重複する説明は省略し、秒同期検出手段２３を中心とした動作のみを図８のフローチャートに基づいて説明する。【００７４】  図８は、本発明の実施例２の動作を説明するフローチャートである。図８において電波修正時計１が時刻修正モードに移行すると、制御手段２２は受信制御信号Ｐ１０を受信部２０に対して出力し、同調手段２０ａは、受信制御信号Ｐ１０によって指定された受信周波数に切り替え、受信ＩＣ２１は標準電波の受信動作を開始する（ステップＳ８０１）。次に、標準電波が受信アンテナ４によって受信されると、同調手段２０ａは同調信号Ｐ１を出力し、受信ＩＣ２１は微弱な信号である同調信号Ｐ１を入力して増幅し、フィルタ回路（図示せず）によってノイズ成分等を除去し、更にデコード回路（図示せず）によってデジタル信号に変換し、復調信号Ｐ２を出力する（ステップＳ８０２）。【００７５】  次に、秒同期検出手段２３のエッジ検出回路２３ａは復調信号Ｐ２を入力し、一定期間（例えば１０秒間）立ち下がりエッジと立ち下がりエッジを内蔵する二つのエッジ検出ユニット（図示せず）によって同時に検出する（ステップＳ８０３）。ここで、エッジ検出回路２３ａの内部の第１のエッジ検出ユニットによって最初の立ち下がりエッジが検出されると、カウンタ２３ｂの内部の第１のカウンタユニット（図示せず）はリセットされ、次の立ち下がりエッジが検出されるまでクロック信号（図示せず）によってカウント動作が継続される。エッジ検出回路２３ａによって次の立ち下がりエッジが検出されると、カウンタ２３ｂのカウント動作は停止され、カウントデータＰ１１がＲＡＭ２４に書き込まれ、その後、カウンタ２３ｂは再びリセットされて次の立ち下がりエッジが検出されるまで、再びカウント動作が継続され、１０秒間この動作が繰り返される。この結果、ＲＡＭ２４には１０秒間の間に検出された立ち下がりエッジの時間間隔データが記憶される。【００７６】  また、秒同期検出手段２３のエッジ検出回路２３ａは、前述した如く、前記立ち下がりエッジ検出と同時に立ち上がりエッジ検出も実行する。ここで、エッジ検出回路２３ａの内部の第２のエッジ検出ユニット（図示せず）によって最初の立ち上がりエッジが検出されると、カウンタ２３ｂの内部の第２のカウンタユニット（図示せず）はリセットされ、次の立ち上がりエッジが検出されるまでクロック信号（図示せず）によっ��カウント動作が継続される。エッジ検出回路２３ａによって次の立ち上がりエッジが検出されると、カウンタ２３ｂのカウント動作は停止され、カウントデータＰ１１がＲＡＭ２４に書き込まれ、その後、カウンタ２３ｂは再びリセットされて次の立ち上がりエッジが検出されるまで、再びカウント動作が継続され、１０秒間この動作が繰り返される。この結果、ＲＡＭ２４には１０秒間の間に検出された立ち上がりエッジの時間間隔データが記憶される。【００７７】  次に、秒同期検出手段２３の同期判定回路２３ｃは、ＲＡＭ２４に記憶された立ち下がりエッジの時間間隔データであるカウントデータＰ１１を読み出し、各カウントデータＰ１１が１秒に対してどの程度ずれているかを調べ、１０秒間に到来した立ち下がりエッジが１秒に同期した秒同期信号であるかを判定する（ステップＳ８０４）。すなわち、１０秒間に到来した立ち下がりエッジの検出回数が１０個であり、各立ち下がりエッジの時間間隔（すなわちカウントデータＰ１１）が１秒に等しいか近ければ、検出された立ち下がりエッジは秒同期信号であり、その立ち下がりエッジの位置が秒同期位置であると判定される。しかし、各立ち下がりエッジの時間間隔が１秒に対してバラツキが大きければ、その立ち下がりエッジは秒同期信号ではないと判定される。ここで、肯定判定ならばステップＳ８０５へ移行し、否定判定ならばステップＳ８０７へ移行する。【００７８】  次に、ステップＳ８０４で肯定判定がなされた場合は、秒同期検出手段２３から秒同期情報Ｐ３が送信局決定手段２５に対して出力される。ここでの秒同期情報Ｐ３は、復調信号Ｐ２の波形情報と秒同期位置と秒同期信号が立ち下がりエッジである等の情報を含んでいる。送信局決定手段２５は、前記秒同期情報Ｐ３を入力し、復調信号Ｐ２の波形がアメリカの復調信号の形態に一致しているかを判定する（ステップＳ８０５）。すなわち、送信局決定手段２５は秒同期位置（立ち下がりエッジの位置）からパルス幅２００ｍＳ、パルス幅５００ｍＳ、パルス幅８００ｍＳに等しいか近いパルスが存在しているか、また、それ以外のパルス幅の波形が無いかを判定する。肯定判定（アメリカの標準電波と判定）ならばステップＳ８０９へ移行し、否定判定ならばステップＳ８０６へ移行する。【００７９】  次に、ステップＳ８０５で肯定判定がなされたならばステップＳ８０９へ移行するが、ステップＳ８０９およびステップＳ８１２〜Ｓ８１４は図４に示した実施例１のフローチャートのステップＳ４１０およびステップＳ４１３〜Ｓ４１５と同様であるので説明は省略する。【００８０】  次に、ステップＳ８０５で否定判定がなされた場合のステップＳ８０６を説明する。送信局決定手段２５は、すでに入力している秒同期情報Ｐ３によって、復調信号Ｐ２の波形がイギリスの復調信号の形態に一致しているかを判定する（ステップＳ８０６）。すなわち、送信局決定手段２５は秒同期位置（立ち下がりエッジの位置）からパルス幅１００ｍＳ、パルス幅２００ｍＳ、パルス幅３００ｍＳ、パルス幅５００ｍＳに等しいか近いパルスが存在しているか、また、それ以外のパルス幅の波形が無いかを判定する。肯定判定（イギリスの標準電波と判定）ならばステップＳ８１０へ移行し、否定判定ならばステップＳ８０７へ移行する。【００８１】  次に、ステップＳ８０６で肯定判定がなされたならばステップＳ８１０へ移行するが、ステップＳ８１０およびステップＳ８１２〜Ｓ８１４は図４に示した実施例１のフローチャートのステップＳ４１１およびステップＳ４１３〜Ｓ４１５と同様であるので説明は省略する。【００８２】  次に、ステップＳ８０６で否定判定がなされた場合は、立ち下がりエッジを秒同期信号とする送信局が見つからなかったので、立ち上がりエッジでの秒同期信号が存在するかを確認するためにステップＳ８０７へ移行する。なお、この動作フローに限定されず、他国（例えばドイツ等）の可能性があれば、送信局決定手段２５で更に他国の送信局の判定を行ってよい。また、立ち下がりエッジを秒同期信号とする国が検出できなかった場合には、ステップＳ８０８へ移行せずに、受信不可として時刻修正モードを終了してもよい。なお、ステップＳ８０７は、ステップＳ８０４で否定判定がなされた場合にも実行される。【００８３】  次にステップＳ８０７以降の説明を行う。秒同期検出手段２３の同期判定回路２３ｃは、ＲＡＭ２４に記憶された立ち上がりエッジの時間間隔データであるカウントデータＰ１１を読み出し、各カウントデータＰ１１が１秒に対してどの程度ずれているかを調べ、１０秒間に到来した立ち上がりエッジが１秒に同期した秒同期信号であるかを判定する（ステップＳ８０７）。すなわち、１０秒間に到来した立ち上がりエッジの検出回数が１０個であり、各立ち上がりエッジの時間間隔（すなわちカウントデータＰ１１）が１秒に等しいか近ければ、検出された立ち上がりエッジは秒同期信号であり、その立ち上がりエッジの位置が秒同期位置であると判定される。しかし、各立ち上がりエッジの時間間隔が１秒に対してバラツキが大きければ、その立ち上がりエッジは秒同期信号ではないと判定される。ここで、肯定判定ならばステップＳ８０８へ移行し、否定判定ならばステップＳ８１４へ移行する。【００８４】  次に、ステップＳ８０７で肯定判定がなされた場合は、秒同期検出手段２３から秒同期情報Ｐ３が送信局決定手段２５に対して出力される。ここでの秒同期情報Ｐ３は、復調信号Ｐ２の波形情報と秒同期位置と秒同期信号が立ち上がりエッジである等の情報を含んでいる。送信局決定手段２５は、前記秒同期情報Ｐ３を入力し、復調信号Ｐ２の波形が日本の復調信号の形態に一致しているかを判定する（ステップＳ８０８）。すなわち、送信局決定手段２５は秒同期位置（立ち上がりエッジの位置）からパルス幅８００ｍＳ、パルス幅５００ｍＳ、パルス幅２００ｍＳに等しいか近いパルスが存在しているか、また、それ以外のパルス幅の波形が無いかを判定する。肯定判定（日本の標準電波と判定）ならばステップＳ８１１へ移行し、否定判定ならばステップＳ８１４へ移行し、更に他国の標準電波である可能性があれば、送信局決定手段２５で更に他国の送信局の判定を行う。【００８５】  次に、ステップＳ８０８で肯定判定がなされたならばステップＳ８１１へ移行するが、ステップＳ８１１〜Ｓ８１４は図４に示した実施例１のフローチャートのステップＳ４１２〜Ｓ４１５と同様であるので説明は省略する。な��、図８のフローチャートでは、ステップＳ８０３の実行後、検出された立ち下がりエッジが秒同期信号であるかを最初に判定したが、この動作フローに限定されず、最初に立ち上がりエッジが秒同期信号であるかを判定してもよい。【００８６】  以上のように、本発明の実施例２によれば、復調信号Ｐ２の立ち下がりエッジと立ち上がりエッジを同時に検出するので、秒同期検出手段２３の回路規模は若干大きくなるが、秒同期情報を素速く検出でき、受信した標準電波の送信局を迅速に判定できるので、時刻修正モードの時間短縮に大きな効果を発揮できる。【００８７】  また、秒同期検出手段２３の同期判定回路２３ｃは、ＲＡＭ２４に記憶された秒同期情報としての立ち上がりエッジの時間間隔データと立ち下がりエッジの時間間隔データを比較し、１秒に対してより誤差の少ないエッジ方向を算出し、送信局決定手段２５の判定順序に優先順位を付けてもよい。例えば、ステップＳ８０４において、ＲＡＭ２４に記憶された立ち上がりエッジの時間間隔データと立ち下がりエッジの時間間隔データを比較し、１秒に対してより誤差の少ないエッジ方向を算出し、もし、立ち上がりエッジの時間間隔データの方が１秒に対して誤差が少なければ、日本の標準電波であるかどうかの判定（すなわちステップＳ８０７）へ進み、もし、立ち下がりエッジの時間間隔データの方が１秒に対して誤差が少なければ、アメリカの標準電波であるかどうかの判定（すなわちステップＳ８０５）へ進むなど、判定順序に優先順位を持った動作フローであってもよい。このように、送信局決定手段２５の判定順序に優先順位を付けるならば、受信した標準電波の送信局を更に効率よく迅速に決定することが可能となる。また例えば、立ち下がりエッジが秒同期と判定された場合、図示しないが前回受信成功した送信局を記憶する手段（例えばＲＡＭ２４など）を設け、前回受信成功した送信局（例えばアメリカ）からの受信を行うように優先順位をつけてもよい。
【実施例３】
【００８８】  次に、図９に基づいて本発明の実施例３としての電波修正時計１の回路構成の概略を説明する。なお、実施例３の回路構成は、実施例１および２に対して秒同期検出手段だけが異なるので、他の回路構成の同一要素には同一番号を付し重複する説明は省略する。３２は実施例３における秒同期検出手段であり、サンプリング検出手段としてのサンプリング検出回路３２ａと、加算手段としての加算回路３２ｂと、記憶手段としてのＲＡＭ３２ｃと、波形判定手段としての波形判定回路３２ｄによって構成される。【００８９】  サンプリング検出回路３２ａは、復調信号Ｐ２を入力して該復調信号Ｐ２の立ち上がりエッジと立ち下がりエッジを一定間隔（例えば１／６４秒周期）でサンプリングし検出する。加算回路３２ｂは、サンプリング検出回路３２ａで検出された立ち上がりエッジまたは立ち下がりエッジの検出回数を、サンプリング位置毎に個別に加算する。ＲＡＭ３２ｃは、加算回路３２ｂによってサンプリング位置毎に個別に加算された立ち上がりエッジと立ち下がりエッジの検出回数を、サンプリング位置毎に個別に記憶する。波形判定回路３２ｄは、ＲＡＭ３２ｃに記憶されたサンプリング位置毎の立ち上がりエッジの検出回数と立ち下がりエッジの検出回数を読み出し、一定値以上の検出回数が記憶されたサンプリング位置を復調信号Ｐ２の秒同期位置と判定し、また、そのエッジ方向を秒同期信号のエッジ方向と判定する。なお、秒同期検出手段３２が出力する秒同期情報Ｐ３は、復調信号Ｐ２の波形情報と判定された復調信号Ｐ２の秒同期位置とエッジ方向を含む。【００９０】  次に、本発明の実施例３の動作フローを秒同期検出動作を中心に図１０のフローチャートに基づいて説明する。電波修正時計１が使用者の操作やタイマー等によって時刻修正モードに移行すると、制御手段２２は受信制御信号Ｐ１０を受信部２０に対して出力し、同調手段２０ａは、受信制御信号Ｐ１０によって指定された受信周波数に切り替え、受信ＩＣ２１は標準電波の受信動作を開始する（ステップＳ１００１）。なお、後述するアドレスポインタとして機能する変数としてのポインタａと、何周期目のサンプリング検出であるかをカウントする変数としての回数ｎと、立ち上がりエッジと立ち下がりエッジの検出回数がそれぞれ記憶されるＲＡＭ３２ｃのＸ領域とＹ領域をステップＳ１００１において初期化してその値をそれぞれ０とする。【００９１】  次に、標準電波が受信アンテナ４によって受信されると、同調手段２０ａは同調信号Ｐ１を出力し、受信ＩＣ２１は微弱な信号である同調信号Ｐ１を入力して増幅し、フィルタ回路（図示せず）によってノイズ成分等を除去し、更にデコード回路（図示せず）によってデジタル信号に変換し、復調信号Ｐ２を出力する（ステップＳ１００２）。【００９２】  次に、秒同期検出手段３２のサンプリング検出回路３２ａは復調信号Ｐ２を入力してサンプリング動作を開始し（ステップＳ１００３）、立ち上がりエッジまたは立ち下がりエッジを検出する。【００９３】  次に、サンプリング検出回路３２ａのサンプリング動作によって立ち上がりエッジが検出されたかを判定する（ステップＳ１００４）。ここで、肯定判定ならばステップＳ１００５へ進み、否定判定ならばステップＳ１００６へ進む。【００９４】  ステップＳ１００４で肯定判定がなされたならば（すなわち、立ち上がりエッジが検出された）、加算回路３２ｂはＲＡＭ３２ｃのＸ領域のポインタａで示されるアドレスのデータ（ＲＡＭ＿Ｘ（ａ）として示す）を読み出して、読み出されたデータに１を加算して再びＲＡＭ３２ｃのＸ領域のポインタａで示されるアドレスに記憶させ（ステップＳ１００５）、ステップＳ１００８へ移行する。【００９５】  次に、ステップＳ１００４で否定判定がなされたならば、サンプリング検出回路３２ａのサンプリング動作によって立ち下がりエッジが検出されたかを判定する（ステップＳ１００６）。ここで、肯定判定ならばステップＳ１００７へ移行し、否定判定ならばステップＳ１００８へ移行する。【００９６】  ステップＳ１００６で肯定判定がなされたならば（すなわち、立ち下がりエッジが検出された）、加算回路３２ｂはＲＡＭ３２ｃのＹ領域のポインタａで示されるアドレスのデータ（ＲＡＭ＿Ｙ（ａ）として示す）を読み出して、読み出されたデータに１を加算して再びＲＡＭ３２ｃのＹ領域のポインタａで示されるアドレスに記憶させ（ステップＳ１００７）、ステップＳ１００８へ移行する。【００９７】  次に、加算回路３２ｂは、ＲＡＭ３２ｃのＸ領域とＹ領域のアドレスポインタであるポインタａに１を加算して、アドレスポインタを一つ進める（ステップＳ１００８）。【００９８】  次に、秒同期検出手段３２は、ポインタａが一定値（例えば６４）に等しいかどうかを判定する（ステップＳ１００９）。ここで、肯定判定ならば、ステップＳ１０１０へ移行し、否定判定ならば、ステップＳ１００３へ戻る。なお、一定値はステップＳ１００３でのサンプリング周期に対応する値であり、サンプリング周期が１／６４秒である場合は一定値は６４となり、サンプリング周期が１／３２秒である場合は一定値は３２となる。【００９９】  ステップＳ１００９で否定判定がなされたならば、動作フローはステップＳ１００３へ戻り、サンプリング周期が１／６４秒であるならば、１／６４秒経過後に、次のサンプリング動作が開始され（ステップＳ１００３）、立ち上がりエッジまたは立ち下がりエッジが検出される。以降の動作フローは、ステップＳ１００９で肯定判定がなされるまで繰り返される。すなわち、ステップＳ１００３からステップＳ１００９までの動作が６４回実行され、この結果、復調信号Ｐ２の１周期である１秒間の期間、立ち上がりエッジと立ち下がりエッジが１／６４秒毎のサンプリング動作によって検出されることになる。【０１００】  次に、ステップＳ１００９で肯定判定がなされたならば、加算回路３２ｂは、復調信号Ｐ２の何周期分目をサンプリング検出しているかを示す回数ｎに１を加算する（ステップＳ１０１０）。【０１０１】  次に、秒同期検出手段３２は、回数ｎが一定値（例えば１０）に等しいかどうかを判定する（ステップＳ１０１１）。肯定判定ならばステップＳ１０１２へ移行する、否定判定ならばステップＳ１０１３へ移行する。ここで、一定値が１０である場合は、復調信号Ｐ２の１０周期分、すなわち、１０秒間立ち上がりエッジと立ち下がりエッジの検出が実行されることにな��、この一定値は、任意に変更してよい。【０１０２】  次に、ステップＳ１０１１で否定判定がなされたならば、ＲＡＭ３２ｃのアドレスポインタをリセットするために、ポインタａを０とする（ステップＳ１０１３）。その後、ステップＳ１００３へ戻る。以降の動作フローはステップＳ１０１１で肯定判定がなされるまで繰り返される。すなわち、ステップＳ１０１１の一定値が１０であるならば、前述した如く、復調信号Ｐ２の１０周期分サンプリング動作が繰り返し実行される。この結果、ＲＡＭ３２ｃのＸ領域とＹ領域には、サンプリング位置毎の立ち上がりエッジと立ち下がりエッジの検出回数が１０周期分加算されて記憶される。【０１０３】  次に、ステップＳ１０１１で肯定判定がなされたならば、波形判定回路３２ｄは、ＲＡＭ３２ｃのＸ領域とＹ領域に記憶されたサンプリング位置毎の立ち上がりエッジの検出回数と立ち下がりエッジの検出回数を読み出し、一定値以上の検出回数が記憶されたサンプリング位置を復調信号Ｐ２の秒同期位置と判定し、また、そのエッジ方向を秒同期信号のエッジ方向と判定する（ステップＳ１０１２）。【０１０４】  次に、波形判定回路３２ｄのステップＳ１０１２の動作を図１１−１〜図１１−３に基づいて説明する。【０１０５】  図１１−１は、本発明の実施例３の秒同期検出手段の波形判定回路の動作に関し、日本の標準電波の復調信号とサンプリング関係を示す説明図であり、図１１−２は、本発明の実施例３の秒同期検出手段の波形判定回路の動作に関し、立ち上がりエッジの検出回数をグラフ化した説明図、すなわち、ＲＡＭ３２ｃのＸ領域に記憶された立ち上がりエッジの検出回数をグラフ化した図であり、図１１−３は、本発明の実施例３の秒同期検出手段の波形判定回路の動作に関し、立ち下がりエッジの検出回数をグラフ化した説明図、すなわち、ＲＡＭ３２ｃのＹ領域に記憶された立ち下がりエッジの検出回数をグラフ化した図である。【０１０６】  秒同期情報が検出される標準電波は一例として日本のＪＪＹであり、その復調信号Ｐ２の波形形態は図１１−１に示す波形であるとする。また、サンプリング検出回路３２ａは、復調信号Ｐ２を１０周期分サンプリングするが、その最初のサンプリング開始ポイントは、復調信号Ｐ２と非同期であるので復調信号Ｐ２に対してランダムに決定される。【０１０７】  ここで、サンプリング開始位置を図１１−１で示す復調信号Ｐ２の秒同期位置（すなわち立ち上がり位置）から約１００ｍＳ後の矢印Ａで示すポイントであると仮定すると、復調信号Ｐ２の周期とサンプリング周期の関係は図１１−１のようになる。図１１−２と図１１−３のグラフのＸ軸は、ＲＡＭ３２ｃのアドレスを現しており、そのアドレス範囲は、復調信号Ｐ２の１周期のサンプリング回数に等しい０〜６３である。すなわち、ＲＡＭ３２ｃのアドレス０が図１１−１の矢印Ａで示すサンプリング開始位置に対応し、ＲＡＭ３２ｃの各アドレスがサンプリング位置に対応する。グラフのＹ軸は、ＲＡＭ３２ｃに記憶される立ち上がりエッジと立ち下がりエッジの検出回数である。【０１０８】  ここで、図１１−２の検出データＫ１はＲＡＭ３２ｃのＸ領域のアドレス５８付近に位置し、その大きさは１０に等しい。すなわち、該検出データＫ１は、図１１−１で示す復調信号の立ち上がりエッジを正確に１０回分検出したことを示している。同じく検出データＫ２は、アドレス３２付近に位置しており、その大きさは１である。該検出データＫ２は、復調信号Ｐ２に混入したノイズ成分を加算した結果である。【０１０９】  次に、図１１−３の検出データＫ３はアドレス６付近に位置しており、その大きさは１である。該検出データＫ３はポジションマーカ（Ｐコード）の立ち下がりエッジを検出したものであり、Ｐコードは００秒を例外として１０秒に１回の割合で発生するので検出回数は１となる。検出データＫ４はアドレス２６付近に位置しており、その大きさは５である。該検出データＫ４は論理“１”の立ち下がりエッジを検出したものであり、その検出回数は５である。検出データＫ５はアドレス４５付近に位置しており、その大きさは４である。該検出データＫ５は論理“０”の立ち下がりエッジを検出したものであり、その検出回数は４である。検出データＫ６は、アドレス３２付近に位置しており、その大きさは１である。該検出データＫ６は、復調信号Ｐ２に混入したノイズ成分を加算した結果である。なお、検出データＫ４とＫ５は復調信号Ｐ２の論理に応じて変動し、また、ノイズによる検出データＫ２とＫ６は、検出位置も検出回数も当然ながら変化する。【０１１０】  ここで、波形判定回路３２ｄは、図１１−２と図１１−３で示したＲＡＭ３２ｃのＸ領域とＹ領域の記憶内容を検査し、最も検出回数の大きい検出データのサンプリング位置（すなわちＲＡＭ３２ｃのアドレス位置）を復調信号Ｐ２の秒同期位置と判定し、また、検出したエッジ方向を秒同期位置のエッジ方向として判定する。すなわち、この一例では、アドレス５８を秒同期位置と判定し、そのエッジ方向は立ち上がりエッジとする。なお、秒同期位置を決める検出回数の一定値は任意に定めてよく、一例として、検出時間が１０秒間である場合、検出回数が９回以上ある検出データを秒同期位置であると判定してよい。また、検出データＫ２やＫ６のように、ノイズによって立ち上がりエッジや立ち下がりエッジが検出されたとしても、同じサンプリング位置にノイズが繰り返し混入する可能性は少ないので、サンプリング位置毎による検出回数を判定することにより、ノイズの混入によって生じた立ち上がりエッジや立ち下がりエッジを秒同期信号と判定する可能性は極めて少ないことが理解できる。【０１１１】  図１２−１は、アメリカ局の標準電波の立ち上がりエッジの検出回数をグラフ化した説明図であり、図１２−２は、アメリカ局の標準電波の立ち下がりエッジの検出回数をグラフ化した説明図である。また、図１３−１は、イギリス局の標準電波の立ち上がりエッジの検出回数をグラフ化した説明図であり、図１３−２は、イギリス局の標準電波の立ち下がりエッジの検出回数をグラフ化した説明図である。【０１１２】  図１２−１、図１２−２、図１３−１および図１３−２に示すように、アメリカ局、イギリス局ともに、立ち上がりエッジを検出すると、それぞれ異なる特徴（パターン）が現れる。これらの異なる特徴に基づいて、送信局を決定するようにしてもよい。具体的には、アメリカでのみ現れる特徴（パターン）およ���イギリスでのみ現れる特徴（パターン）を記憶しておき、該当するパターンと一致した場合には、何れかの送信局に決定する。このようにすることによって、パターンの一致によって判断すればよいので、秒同期を取らなくてもよい。【０１１３】  次に、送信局決定手段２５は、復調信号Ｐ２の波形情報と秒同期位置とエッジ方向を含んだ秒同期情報Ｐ３を入力し、復調信号Ｐ２を秒同期位置を基準に解析して送信局を決定する。なお、該送信局決定手段２５の動作フローは、例えば、図８に示した、実施例２のフローチャートのステップＳ８０５以降の動作と同様であるので、ここでの説明は省略する。【０１１４】  以上のように、本発明の実施例３によれば、秒同期検出手段３２は復調信号Ｐ２の立ち上がりエッジと立ち下がりエッジの検出回数をサンプリング位置毎に加算した結果に基づいて秒同期情報を検出するので、復調信号Ｐ２にノイズによる立ち上がりエッジや立ち下がりエッジが発生しても、その発生回数から検出データがノイズであることを判定できるので、ノイズ環境下の標準電波であっても、ノイズの影響を受け難い秒同期検出を実現でき、標準電波の検出能力に優れた電波修正時計を提供できる。
【実施例４】
【０１１５】  次に、本発明の実施例４を説明する。なお、実施例４の回路構成は、実施例３と同様であるので、実施例４の固有の動作のみを図９に基づいて説明する。図９において、秒同期検出手段３２のサンプリング検出手段としてのサンプリング検出回路３２ａは、一定間隔毎に復調信号Ｐ２の論理レベル（論理“１”あるいは論理“０”）をサンプリングする機能が付加されている。加算手段としての加算回路３２ｂは、サンプリング検出回路３２ａがサンプリングした論理レベル（論理“１”あるいは論理“０”のいずれか一方）の検出回数を加算する。例えば、サンプリング検出回路３２ａが、論理“１”をサンプリングする場合は、サンプリング検出回路３２ａが論理“１”を検出する毎に、加算回路３２ｂは、論理“１”の検出回数を順次加算する。【０１１６】  次に、秒同期検出手段３２は、加算回路３２ｂの加算結果から、サンプリングされた復調信号Ｐ２の論理レベルの比率、すなわち、論理“１”と論理“０”の検出回数の比率を算出する。例えば、サンプリング検出回路３２ａが、１／６４秒間隔で復調信号Ｐ２のサンプリングを１秒間実行し、加算回路３２ｃが加算した論理“１”の検出回数が４０回であった場合は、論理“０”の検出回数は６４−４０＝２４回と想定されるので、復調信号Ｐ２の論理レベルの比率は４０：２４であると算出され、この論理レベルの比率情報が秒同期検出手段３２から出力される秒同期情報Ｐ３に含まれ送信局決定手段２５に入力される。なお、この論理レベルの比率情報を取得するためのサンプリング期間は限定されず、例えば、１０秒間サンプリングを行い加算し、論理レベルの比率を算出するとよい。【０１１７】  送信局決定手段２５は秒同期情報Ｐ３を入力し、該秒同期情報Ｐ３に含まれる前記論理レベル比率情報に基づいて送信局を決定する。例えば、電波修正時計が受信した標準電波が立ち下がりエッジによる秒同期信号であると判定し、想定される送信局がアメリカまたはイギリスのいずれかであるような場合は、本発明の実施例４が使用できる可能性がある。すなわち、図２で示す如く、アメリカの復調信号Ｐ２の最小パルス幅は２００ｍＳであるので、復調信号Ｐ２の論理“１”と論理“０”の比率は８：２、すなわち４／１より大きくなることはない。一方、イギリスの復調信号Ｐ２の最小パルス幅は１００ｍＳであるので、復調信号Ｐ２の論理“１”と論理“０”の比率は８：２、すなわち４／１より大きくなる可能性がある。例えば、算出された論理レベルの比率が８．５：１．５であるならば、受信された標準電波はイギリスの送信局であると判定できる。【０１１８】  以上のように、本発明の実施例４によれば、秒同期検出手段３２によって復調信号Ｐ２をサンプリングし、論理“１”あるいは論理“０”の検出回数の加算結果から復調信号Ｐ２の論理レベルの比率を算出し、該論理レベルの比率に基づいて送信局を直ちに決定するので、復調信号の一つ一つのパルス幅を調べて送信局を決定する手法（例えば実施例１のステップＳ４０５参照）と比較して、より迅速に送信局の判定を実行することが可能であり、時刻修正モードのスピードアップを実現できる。
【実施例５】
【０１１９】  また、上記実施例１〜４において、受信部２０が受信を開始する際に、複数の異なる周波数にかかる標準電波があるときは、前回受信に成功した送信局の標準電波を最初に受信するとよい。そして、その標準電波の受信に１度あるいはあらかじめ設定した複数回、受信に失敗した場合に、他の周波数の標準電波を受信するように切り替えるとよい。このようにすることで、国または地域を移動しない場合により迅速に時刻修正処理を完了することができる。【０１２０】  また、ＲＡＭ２４は、過去に受信に成功した送信局に関する情報を記憶しておく。そして、受信を開始する際または受信の切り替えを行う際に、ＲＡＭ２４に記憶された送信局に関する情報に基づいて、最初に受信を行う標準電波の周波数、または受信を切り替える順序を決定するようにしてもよい。例えば、記憶されている回数が最も多いものを最初に受信し、その後、回数の多い順番で受信を切り替えることができる。また、ＲＡＭ２４に受信が成功した日時に関する情報もあわせて記憶し、その日時と回数とに基づいて切り替え順序を決定するようにしてもよい。したがって、より最近受信に成功したものから順番切り替えるようにしてもよく、最近の所定の受信回数において最も多く成功した送信局順に切り替えるようにしてもよい。更に、受信の順序は、操作者からの入力によって決定するようにしてもよい。それによって、操作者の使用状況（外国への渡航状況など）に応じて、適切な受信順序を実行することができる。【０１２１】  このように、本発明の電波修正時計により、二つ以上の国または地域の送信局からの標準電波を受信して時刻情報を取得できるので、電波修正時計の使用者が各国または各地域に移動しても、常にその国またはその地域の送信局からの標準電波を自動的に受信し、時刻修正を行うことができる。【０１２２】  また、受信する標準電波からの時刻情報を取得できない場合は、受信切替手段によって他の送信局からの標準電波を受信できるので、受信に最適な送信局を選択でき、受信性能に優れた電波修正時計を提供できる。【０１２３】  また、同一周波数からなる二つ以上の国または地域の送信局からの標準電波を受信して時刻情報を取得できるので、電波修正時計の使用者が各国または各地域に移動しても、常にその国またはその地域の送信局からの標準電波を自動的に受信し、時刻修正を行うことができる。【０１２４】  また、復調信号の立ち上がりエッジと立ち下がりエッジを順番に検出するので、秒同期検出手段の回路規模を簡素化できる。また、秒同期検出手段は復調信号の立ち上がりエッジと立ち下がりエッジを同時に検出するので、秒同期情報を素速く検出でき、受信した標準電波の送信局を迅速に決定することができる。【０１２５】  また、秒同期検出手段は復調信号の立ち上がりエッジと立ち下がりエッジの検出回数をサンプリング位置毎に加算した結果に基づいて秒同期情報を得るので、復調信号にノイズが混入してノイズによる立ち上がりエッジや立ち下がりエッジが発生しても、ノイズの影響が少ない秒同期検出を行うことができる。【０１２６】  また、送信局決定手段は、秒同期検出手段が加算した復調信号の論理“１”あるいは論理“０”の加算結果に基づいて送��局を決定するので、受信した標準電波の送信局を効率よく迅速に決定することができる。【０１２７】  また、送信局決定手段は、一定周期毎に到来するポジションマーカの波形から送信局を決定するので、受信した標準電波の送信局を効率よく迅速に決定することができる。また、送信局決定手段は、復調信号の特有の波形から送信局を決定するので、受信した標準電波の送信局を効率よく迅速に決定することができる。【０１２８】  また、秒同期検出手段は、送信局決定手段による送信局の判定順序に優先順位を付けるので、送信局決定手段は受信した標準電波の送信局を効率よく迅速に決定することができる。【０１２９】  なお、本発明の実施例として示した各フローチャートは、これに限定されるものではなく、各機能を満たすものであれば、動作フローは任意に変更することができる。また、本発明の実施の形態ではアナログ表示方式の電波修正時計を提示したが、これに限定されることはなく、デジタル表示方式、または、アナログとデジタルの複合表示方式の電波修正時計であってもよい。また、本発明の時刻修正方法は時計に限定されるものではなく、電波修正時計機能を有する電子機器に幅広く応用することが可能である。【０１３０】  すなわち、上記実施例においては、電波修正時計について説明したが、この電波修正時計は、腕時計、掛け時計、置き時計などすべての種類の時計が含まれる。また、本発明は、電波修正時計に限定されるものではなく、電波修正時計を内蔵した、カメラ、デジタルカメラ、デジタルビデオカメラ、ゲーム機器、携帯電話機、ＰＤＡ（Ｐｅｒｓｏｎａｌ  Ｄｉｇｉｔａｌ  Ａｓｓｉｓｔａｎｔ）、ノート型パーソナルコンピュータなどの携帯可能な情報端末装置、更には、家電や自動車を含む電子機器であってもよい。
【産業上の利用可能性】
【０１３１】  以上のように、本発明は、標準電波を受信する電波修正時計に有用であり、特に、電波修正時計の使用者が各国各地域を移動したとしても、自動的に受信できる送信局を選択し時刻情報を取得して、常にその国またはその地域の標準時に自動修正できる全地球的な完全自動型の電波修正時計に適している。
【図１−１】
2005062137.tif 000002
【図１−２】
2005062137.tif 000003
【図２】
2005062137.tif 000004
【図３】
2005062137.tif 000005
【図４】
2005062137.tif 000006
【図５】
2005062137.tif 000007
【図６】
2005062137.tif 000008
【図７】
2005062137.tif 000009
【図８】
2005062137.tif 000010
【図９】
2005062137.tif 000011
【図１０】
2005062137.tif 000012
【図１１−１】
2005062137.tif 000013
【図１１−２】
2005062137.tif 000014
【図１１−３】
2005062137.tif 000015
【図１２−１】
2005062137.tif 000016
【図１２−２】
2005062137.tif 000017
【図１３−１】
2005062137.tif 000018
【図１３−２】
2005062137.tif 000019
【国際調査報告】
2005062137.tif 000020
2005062137.tif 000021
2005062137.tif 000022
2005062137.tif 000023